(57)【特許請求の範囲】
【請求項１】
内部抵抗を有する電池と、この電池の出力がスイッチを介して接続されるとともに電力を消費する負荷と、前記スイッチのオン・オフ指令が入力される入力端子と、この入力端子に接続されるとともに前記スイッチのオン・オフを制御するスイッチ制御部と、複数の閾値が格納された第１の閾値群と、この第１の閾値群より低い値の複数の閾値が格納された第２の閾値群と、この第１、第２の閾値群の出力が夫々接続されるとともに、前記スイッチ制御部の出力に基づいて前記第１、第２の閾値群のいずれか一方を選択する閾値選択回路と、この閾値選択回路の出力と前記電池の出力電圧とを比較して前記電池の残量を決定する電池残量決定部と、この電池残量決定部の出力に接続された表示部とを備え、前記スイッチをオンからオフに切り替えるときには前記第２の閾値群を選択する旨の選択信号を前記スイッチ制御部から前記電池電圧が安定する時間遅延する遅延回路を介して前記閾値選択回路へ出力し、前記スイッチをオフからオンに切り替えるときには前記第１の閾値群を選択する旨の選択信号を前記スイッチ制御部から前記閾値選択回路へ直ちに出力するとともに、前記電池残量決定部には前記表示部へ前記電池の昇圧表示を禁止する昇圧表示禁止手段が設けられた電池残量表示装置。
【請求項２】
第２の閾値群は、負荷に電流が流れた場合の電圧降下分だけ低い電圧値が格納された請求項１に記載の電池残量表示装置。
【請求項３】
請求項１に記載の電池残量表示装置を用いて血液凝固時間を測定する携帯機器。
【請求項４】
請求項１に記載の電池残量表示装置を用いて無線送受信時の電池残量を表示する携帯機器。
【発明の詳細な説明】
【技術分野】
【０００１】
本発明は、電池残量表示装置とこれを用いた携帯機器に関するものである。
【背景技術】
【０００２】
ヒータ等の大電力を消費する負荷を制御する装置において、内部抵抗を有する電池の残量表示を行う場合、負荷の電源をオン・オフすると大電力を消費する負荷のため電圧降下が大きく、電池の残量表示がオン・オフの度に異なることがある。そこで、電源のオン・オフ制御に合わせて、電池の残量表示を決定する閾値を切り替える装置が提案されている。
【０００３】
以下、図面を用いて従来の電池残量表示装置を説明する。図９において、従来の電池残量表示装置は、内部抵抗を有する電池１と、この電池１の出力がスイッチ２を介して接続されたヒータ３と、スイッチ２をオン・オフする指令が入力される入力端子４と、この入力端子４に接続されるとともにスイッチ２のオン・オフを制御するスイッチ制御部５と、複数の閾値が格納された第１の閾値群６と、この第１の閾値群６より低い値の複数の閾値が格納された第２の閾値群７と、この第１、第２の閾値群６，７の出力が夫々接続されるとともに、スイッチ制御部５の出力に基づいて第１、第２の閾値群６，７のいずれか一方を選択する閾値選択回路８と、この閾値選択回路８の出力と電池１の出力電圧とを比較して電池１の残量を決定する電池残量決定部９と、この電池残量決定部９の出力に接続された表示部１０とで構成されていた。
【０００４】
以上のように構成された電池残量表示装置について、以下にその動作を説明する。図１０において、待機状態１１では、電池１は電圧１２ａであったとする。この電圧１２ａは、閾値６ｂと閾値６ａとの間にあり、残量表示は最高値から２番目を示すことになる。
【０００５】
時刻１３において、入力端子４からスイッチ２をオンする旨の信号が入力されたとする。そうすると、スイッチ２がオンされ、ヒータ３は待機状態１１から動作状態１４へと切り替えられる。この切り替えにより、電池１の電圧１２は電池１の内部抵抗により電圧１２ａから電圧１２ｂへと電圧降下する。しかし、この電圧降下に合わせて、スイッチ制御部５で第１の閾値群６から第２の閾値群７へ切り換えられる。従って、この閾値群７への切り換えにより、動作状態１４においてもやはり閾値７ａと閾値７ｂの間にあり、残量表示は最高値から２番目のレベルを示すことになる。即ち、スイッチ２がオン・オフしても電池の残量表示は変わらないので、この点において使用者は違和感がない。
【０００６】
なお、この出願の発明に関連する先行技術文献情報としては、例えば、特許文献１が知られている。
【特許文献１】特開平６−２２４８４４号公報
【発明の開示】
【発明が解決しようとする課題】
【０００７】
しかしながらこのような従来の電池残量表示装置では、待機状態１１から動作状態１４への切り替え、或いは動作状態１４から再び待機状態１１への切り替えにおいて、電池１からの出力電圧は瞬時に切り替ることはなく、安定化するまでに過渡期間１５，１６を経て切り替わる。このことにより、以下のような問題が発生することになる。即ち、過渡期間１５において、電池１の電圧１２ｃは閾値７ａより高い区間が発生する。即ち、この区間においては、残量表示は最高値を示すことになる。
【０００８】
また、過渡期間１６において、電池１の電圧１２ｄは閾値６ｃや６ｂより低い区間が発生する。即ち、この区間においては、残量表示は最高値から３番目のレベル或いはそれ以下を示すことになる。
【０００９】
このように、スイッチ２をオン・オフする瞬時において、電池１の残量表示が変わってしまい、使用者に違和感を与えるという問題があった。
【００１０】
そこで本発明は、この問題を解決したもので、切り替えの瞬時においても違和感の無い適切な残量表示が可能な電池残量表示装置を提供することを目的としたものである。
【課題を解決するための手段】
【００１１】
この目的を達成するために本発明の電池残量表示装置は、スイッチをオンからオフに切り替えるときには第２の閾値群を選択する旨の選択信号をスイッチ制御部から電池電圧が安定する時間遅延する遅延回路を介して閾値選択回路へ出力し、前記スイッチをオフからオンに切り替えるときには第１の閾値群を選択する旨の選択信号を前記スイッチ制御部から前記閾値選択回路へ直ちに出力するとともに、電池残量決定部には表示部へ電池の昇圧表示を禁止する昇圧表示禁止手段が設けられたものである。これにより、初期の目的を達成することができる。
【発明の効果】
【００１２】
以上のように本発明によれば、スイッチをオンからオフに切り替えるときには第２の閾値群を選択する旨の選択信号をスイッチ制御部から電池電圧が安定する時間遅延する遅延回路を介して閾値選択回路へ出力し、前記スイッチをオフからオンに切り替えるときには第１の閾値群を選択する旨の選択信号を前記スイッチ制御部から前記閾値選択回路へ直ちに出力するとともに、電池残量決定部には表示部へ電池の昇圧表示を禁止する昇圧表示禁止手段が設けられたものであり、昇圧表示禁止手段を有しているので、スイッチをオフからオンに切り替えたときに、あたかも電池の出力電圧が昇圧したかのような誤った表示をすることは無い。また、遅延回路を有しているので、スイッチをオンからオフに切り替えたときに、あたかも電池の出力電圧が低下したかのような誤った表示をすることも無い。従って、切り替えの瞬時においても適切な残量表示が可能となり、使用者に違和感を与えることはない。
【発明を実施するための最良の形態】
【００１３】
（実施の形態１）
以下、図面に基づいて、本発明の実施の形態を説明する。図１は、実施の形態１における電池残量表示装置のブロック図である。図１において、２１は、内部抵抗を有する電池である。公称電圧１．５ボルト（以下、Ｖと記す）の単三型乾電池４個を直列に接続して６Ｖとしている。この電池２１が新しい間は、出力電圧が約６．４Ｖとなる。
【００１４】
電池２１の出力はＭＯＳＦＥＴ（金属酸化膜電界効果トランジスタ）で構成されたスイッチ２２に入力される。そしてその出力は抵抗値が約６．０オームのヒータ（大電力を消費する負荷の一例として用いた）２３に接続されている。従って、スイッチ２２がオンされた場合には、約１Ａ（アンペア）の電流が流れることになる。即ち、電池２１の内部抵抗が１．０オームであったとすれば、１．０Ｖの電圧降下が生ずることになる。
【００１５】
２４は、スイッチ２２をオン・オフする指令が入力される入力端子であり、スイッチ２２のオン・オフを制御するスイッチ制御部２５に接続されている。
【００１６】
２６は、第１の閾値群であり、図２に示すように、無負荷状態における電池２１の残量表示をするための閾値２６ａ、２６ｂ、２６ｃが格納されている。この閾値２６ａは５．５Ｖに設定されており、閾値２６ｂは５．３Ｖに設定されている。また、閾値２６ｃは５．１Ｖに設定されている。そして、電池２１の出力電圧が閾値２６ａ以上のときは、電池２１の出力が最高値の表示２７ａを表示部３０（後述）に表示する。また、電池２１の出力電圧が閾値２６ａと閾値２６ｂの間のときは、電池２１の出力が最高値から２番目の表示２７ｂを表示部３０に表示する。更に、電池２１の出力電圧が閾値２６ｂと閾値２６ｃの間のときは、電池２１の出力が最高値から３番目の表示２７ｃを表示部３０に表示する。なお、電池２１の出力電圧が閾値２６ｃ以下のときは、電池２１の交換（充電可能の蓄電池を使用している場合は充電、或いは、ＡＣアダプタの使用）を促す表示２７ｄを表示部３０に表示する。
【００１７】
２８は、第２の閾値群であり、負荷状態における電池２１の残量表示をするための閾値２８ａ、２８ｂ、２８ｃが格納されている。この閾値２８ａは４．５Ｖに設定されており、閾値２８ｂは４．３Ｖに設定されている。また、閾値２８ｃは４．１Ｖに設定されている。そして、電池２１の出力電圧が閾値２８ａ以上のときは、第１の閾値群２６の場合と同様に、電池２１の出力が最高値の表示２７ａを表示部３０に表示する。また、電池２１の出力電圧が閾値２８ａと閾値２８ｂの間のときは、電池２１の出力が最高値から２番目の表示２７ｂを表示部３０に表示する。更に、電池２１の出力電圧が閾値２８ｂと閾値２８ｃの間のときは、電池２１の出力が最高値から３番目の表示２７ｃを表示部３０に表示する。なお、電池２１の出力電圧が閾値２８ｃ以下のときは、電池２１の交換を促す表示２７ｄを表示部３０に表示する。なお、図２において縦軸２９は電圧（Ｖ）である。
【００１８】
図１に戻って、第１の閾値群２６と第２の閾値群２８は夫々閾値選択回路３１に接続されており、この閾値選択回路３１の出力は電池残量決定部３２の一方の入力に接続されている。また、スイッチ制御部２５と閾値選択回路３１との間は、以下のように接続されている。即ち、スイッチ制御部２５がスイッチ２２をオフからオンに制御するときには、第２の閾値群２８を直ちに選択する選択線３３で接続されている。また、スイッチ制御部２５がスイッチ２２をオンからオフに制御するときには、予め定められた時間遅延する遅延回路３４を介して第１の閾値群２６を選択する選択線３５で接続されている。なお、予め定められた時間とは、電池２１の電圧変化が過渡期間を脱するに十分な時間であり、本実施の形態では５００ミリ秒（以下、ｍｓｅｃと記す）としている。
【００１９】
電池残量決定部３２の他方の入力には、電池２１の出力が接続されている。そして、この電池２１の電圧と閾値選択回路３１から出力される第１或いは第２の閾値群２６，２８と比較して、その結果を電池２１の残量表示として、電池残量決定部３２の出力が接続された表示部３０に表示するものである。なお、この電池残量決定部３２には、昇圧表示禁止手段４０が設けられている。この昇圧表示禁止手段４０は、電源が切断されるかＡＣアダプタを用いない限り、一度決定された残量表示は、電池電圧の最高値の方向へは移行表示しないようにするものである。これは、第１、第２の閾値群２６，２８の切り替えによりあたかも電池２１が良化したかのごとくの表示することを禁止するものである。
【００２０】
なお、スイッチ制御部２５、閾値選択回路３１、遅延回路３４、電池残量決定部３２、昇圧表示禁止手段４０は、マイクロコンピュータ（以下、ＭＰＵという）を用いて、ソフトウエアで形成されている。また、図示していないが、このＭＰＵには、電池２１から安定化回路を経て電源を供給している。この安定化回路は、保証電圧３．８Ｖ以上の電圧３６（図２）が入力されると、３．３Ｖの安定した出力電圧を保障するものである。従って、第２の閾値群２８の最低閾値２８ｃは、この安定化回路の出力を保証する入力電圧より高く設定しておくことが重要である。
【００２１】
以下、図３を用いて、昇圧表示禁止手段４０を説明する。図３において、ステップ４１は電池残量表示装置のパワーオンステップである。なお、これはＡＣアダプタの使用、或いは、蓄電池を使用したときの充電後であっても同様である。このパワーオンのステップ４１に続いて、ステップ４２では、表示レベルＳ０〜Ｓ３をゼロにセットする。ここで、Ｓ０は閾値群２６又は２８の最低表示レベルを示し、Ｓ３は閾値群２６又は２８の最高表示レベルを意味するものとする。
【００２２】
次に、ステップ４３では電池２１の出力電圧３８を入力するとともに、閾値選択回路３１から第１の閾値群２６或いは第２の閾値群２８が選択されて入力される。そして、ステップ４４で表示レベルＳ０が１であったならば、表示部３０に表示２７ｄ（電池交換レベル）を表示４５させて、ステップ４３に戻る。また、ステップ４４で表示レベルＳ０が１でなかったならばステップ４６に進む。
【００２３】
ステップ４６で表示レベルＳ１が１であったならば、表示部３０に表示２７ｃ（最高値から３番目）を表示４７させて、ステップ４３に戻る。また、ステップ４６で表示レベルＳ１が１でなかったならばステップ４８に進む。
【００２４】
ステップ４８で表示レベルＳ２が１であったならば、表示部３０に表示２７ｂ（最高値から２番目）を表示４９させて、ステップ４３に戻る。また、ステップ４８で表示レベルＳ２が１でなかったならばステップ５０に進む。同様に、ステップ５０で表示レベルＳ３が１であったならば、表示部３０に表示２７ａ（最高値レベル）を表示５１させて、ステップ４３に戻る。また、ステップ５０で表示レベルＳ３が１でなかったならばステップ５２に進む。
【００２５】
ステップ５２では、電池２１の出力電圧３８と、閾値２６ａ或いは２８ａ（閾値選択回路３１から出力された閾値、以下同様）と比較する。出力電圧３８が閾値２６ａ或いは２８ａ（第１閾値）以上であれば、表示レベルＳ３に１をセット５３してステップ４３に戻る。また、第１閾値より小さければステップ５４に進む。
【００２６】
ステップ５４では、電池２１の出力電圧３８が閾値２６ａ或いは２８ａと、閾値２６ｂ或いは２８ｂ（第２閾値）との間か否かを比較する。出力電圧３８が第２閾値との間にあれば、表示レベルＳ２に１をセット５５してステップ４３に戻る。また、出力電圧３８が第２閾値との間になければステップ５６に進む。
【００２７】
ステップ５６では、電池２１の出力電圧３８が閾値２６ｂ或いは２８ｂと、閾値２６ｃ或いは２８ｃ（第３閾値）との間か否かを比較する。出力電圧３８が第３閾値との間にあれば、表示レベルＳ１に１をセット５７してステップ４３に戻る。また、出力電圧３８が第３閾値との間になければ、表示レベルＳ０に１をセット５８してステップ４３に戻る。
【００２８】
以上のように表示レベルの小さい方を優先して表示するので、電池２１の出力電圧３８があたかも上昇したかのような誤った表示をすることはない。また、常に電池２１の電圧を監視しているので、例えば、瞬時的に何らかの原因で閾値２６ｃ或いは２８ｃより低下したとしても、それを表示２７ｄで示すことができる。従って、使用者は、再度（血液凝固時間の測定を）やり直すことなど適切な処置をすることができる。
【００２９】
図４は、スイッチ２２をオン・オフしたときの電池２１の出力電圧３８と第１、第２の閾値群２６，２８の関係を示す関係図である。図４において、待機状態６１の状態からある時刻６２ａで動作状態６３になったとする。即ち、電池２１の出力電圧３８ａは、時刻６２ａまで、第１の閾値群２６の閾値２６ａと２６ｂとの間にあり、表示部３０には表示２７ｂ（最高値から２番目）が表示されている。
【００３０】
時刻６２ａでスイッチ２２がオンとなり、直ちに閾値は第１の閾値群２６から第２の閾値群２８に切り替わる。このとき切り替えの過渡期間６４ａにおいて、出力電圧３８ｂは第２の閾値群２８の最高値の閾値２８ａより高い電圧の区間が存在する。しかし、この区間においては、昇圧表示禁止手段４０の働きで表示部３０には表示２７ａ（最高値レベル）が表示されることはなく、表示２７ｂ（最高値から２番目）が表示されたままである。また、この過渡期間６４ａが終了すれば、出力電圧３８ｃは第２の閾値群２８の閾値２８ａと２８ｂとの間であるので、表示部３０へはやはり表示２７ｂが表示される。
【００３１】
また、時刻６２ｂでスイッチ２２がオフになったとする。このとき、遅延回路３４が働き、この遅延期間６５ａ内においては、閾値選択回路３１は働かない。即ち、第２の閾値群２８から第１の閾値群２６に切り替わることはない。そして、この遅延期間６５ａ内に再びスイッチ２２がオンになったとしても、閾値は第２の閾値群２８のままである。従って、ここでもやはり出力電圧３８ｄは閾値２８ａを超えるが、昇圧表示禁止手段４０の働きで表示部３０には表示２７ａが表示されることはなく、表示２７ｂが表示されたままである。また、この遅延期間６５ａが終了すれば、出力電圧３８ｅは第２の閾値群２８の閾値２８ａと２８ｂとの間であるので、表示部３０へはやはり表示２７ｂが表示される。
【００３２】
また、時刻６２ｄにおいて、スイッチ２２がオンからオフに切り替わったとする。このとき、過渡期間６４ｂを過ぎて、遅延期間６５ｂになると第２の閾値群２８から第１の閾値群２６に切り替わる。この場合もやはり、出力電圧３８ｆは閾値２８ａを超える瞬間が存在するが、昇圧表示禁止手段４０の働きで表示部３０には表示２７ａが表示されることはなく、表示２７ｂが表示されたままである。また、この遅延期間６５ｂが経過すれば、出力電圧３８ｇは第１の閾値群２６の閾値２６ａと２６ｂとの間であるので、表示部３０へはやはり表示２７ｂが表示されたままである。以下、同様の動作である。
【００３３】
以上のように、本実施の形態では、昇圧表示禁止手段４０を有しているので、スイッチ２２をオフからオンに切り替えた瞬時において、あたかも電池２１の出力電圧３８が昇圧したかのような誤った表示をすることは無い。また、遅延回路３４と昇圧表示禁止手段４０を有しているので、スイッチ２２をオンからオフに切り替えた瞬時においてもやはり電池２１の出力電圧が低下したかのような誤った表示をすることも無い。従って、適切な残量表示が可能となり、使用者に違和感を与えることはない。
【００３４】
また、連続して常に電池２１の電圧を監視しているので、例えば、瞬時的に何らかの原因で閾値２６ｃ或いは２８ｃより低下したとしても、それを表示２７ｄ（電池交換レベル）で表示させることができる。従って、使用者は、再度（血液凝固時間の測定を）やり直すとか適切な処置をとることができる。これは電圧低下により、ＭＰＵのリセットが働くが、このリセットされたことを知らないで、例えば実施の形態２で説明する光学測定機で誤った測定結果を出力しないためである。
【００３５】
（実施の形態２）
実施の形態２では、本発明の電池残量表示装置を血液の凝固時間を測定する携帯機器に用いた例である。図５は、血液検査を行なう光学測定機（携帯機器の一例として用いた）７０と、検査すべき血液が点着される検査片７１の斜視図である。
【００３６】
光学測定機７０には、検査片７１を挿入して定位置に装着するための検査台７３が設けられている。検査片７１上には反応部７４が設けられており、この反応部７４には試料７５（図示せず）が塗着されている。この試料７５は試薬に血液７６が点着されたものであり、光の照射で励起して蛍光を発するものである。この光学測定機７０の検査台７３に検査片７１を載置した際に、反応部７４は検査台７３に設けられた窓部７７の真上に位置するような構成となっている。
【００３７】
また、光学測定機７０には測定中に外来光や埃等の侵入を防止する目的で、上面に開閉自在な蓋部７８が設けられている。この蓋部７８は、閉状態で検査台７３を覆い、外来光や埃等の侵入を防止する構成となっている。また、この蓋部７８が設けられた側には表示部７９（実施の形態１における表示部３０に該当する）と、ユーザが操作をするボタン８０が設けられている。
【００３８】
図６は、光学測定機７０を用いて検査片７１に点着された血液７６を検査する原理斜視図である。図６において、発光ダイオード８１から照射された光は光学フィルタ８２を通過する。そして反応部７４に塗着された試料７５を照射する。この試料７５は血液７６に試薬が混合されており、光の照射により励起されて蛍光を発する。この励起された蛍光は光学フィルタ８３を通過してフォトダイオードで形成された受光器８４で受光される。
【００３９】
この受光器８４で受光される蛍光量は時間とともに増大する。そして、予め定められた蛍光量になるまでの時間から、凝固し易い血液か、或いは凝固し難い血液かを判定する。この判定結果に基づいて、適切な量の抗凝固剤を処方する。この抗凝固剤の処方は重要である。即ち、抗凝固剤が少なすぎたら血管が詰まってしまうし、多過ぎたら出血が止まらないことになるからである。
【００４０】
ここで、光学フィルタ８２を通過した光は、光学フィルタ８３を通過しない性質のものを用いている。これは、受光器８４には、試料７５で励起した蛍光のみが到達するようにするためである。具体的には、光学フィルタ８２は５２０ｎｍ以下の波長の光を通過させるものであるのに対して、光学フィルタ８３は５４０ｎｍ〜５７５ｎｍの波長の光を通過させるものである。
【００４１】
８５は、検査片７１の下方に設けられたヒータであり、本発明の大電力を消費する負荷に該当する。このヒータ８５は、試料７５の温度を人間の体温と略同じ３７度Ｃに保ち、人体での反応と同様の反応をシミュレートするためのものである。
【００４２】
次に、光学測定機７０を用いた血液凝固時間測定について説明する。図７において、ステップ８６は、メニュー操作待ち状態であり、表示部７９（図５）にメニューが表示される。そして、８６ａでユーザからの要求を待っている。ユーザがボタン８０を用いて血液凝固時間測定を選ぶと、ステップ８７に移り表示部７９に検査片７１の挿入を指示し、ステップ８８へ移る。そしてこのステップ８８では、８８ａで検査片７１の挿入を待つ。検査片７１が挿入されるとステップ８９に移り、表示部７９に「ウオームアップ中」を表示して、ステップ９０へ移る。そして、９０ａで人間の体温に早く近づくようヒータ８５（図６）に通電してウオームアップの完了を待つ。
【００４３】
ウオームアップが完了するとステップ９１へ移り、サンプル血液７６の点着要求の旨を表示する。
【００４４】
ステップ９０ａのウオームアップ動作は光学測定機７０の各種動作のうち最もヒータへの通電頻度が高く、電池の出力電圧の低下も大きい動作である。ウオームアップ動作中の電池の出力電圧が本発明の電池残量表示装置で監視できることで、ステップ９１でサンプル血液７６の点着を促す前の段階で電池電圧低下を使用者に知らせることが出来る。このため、サンプル血液７６の点着後に電池電圧低下による光学測定機７０の動作不良により測定が失敗し、サンプル血液７６や検査片７１を無駄にしてしまうことを防ぐ効果がある。
【００４５】
その後ステップ９２に移り、９２ａで血液７６の点着を待つ。血液７６が点着されると、ステップ９３に移り、表示部７９に蓋部７８を「閉じる」よう指示する。そして、９３ａで蓋部７８が閉じられることを待つ。蓋部７８が閉じられたことを検知すると、ステップ９４に移り、表示部７９に測定中である旨を表示し、９４ａの間、血液７６の凝固時間を測定する。
【００４６】
血液７６の凝固時間の測定が完了するとステップ９５に移り、測定結果を表示部７９に表示する。その結果、再測定が必要と判定された場合にはステップ８７へ戻る。また、測定が正常に終了した場合には、ステップ８６に戻る。
【００４７】
（実施の形態３）
実施の形態３は、本発明の電池残量表示装置を携帯電話等の携帯機器に用いた例である。図８は、携帯電話機１００のブロック図である。携帯電話機１００においても、電力増幅器等は大電力を消費するので、本発明の電池残量表示装置の使用は有効である。
【００４８】
以下、図面に基づいて、携帯電話機１００を説明する。図８において、１０１は約１ＧＨｚの電波の受信と送信をするアンテナであり、このアンテナ１０１はアンテナ切り替え器１０２の共通端子に接続されている。そして、このアンテナ切り替え器１０２の一方の端子は受信部１０３に接続されており、他方の端子は送信部１０４に接続されている。
【００４９】
即ち、受信部１０３は、アンテナ切り替え器１０２の一方の端子に接続されたバンドパスフィルタ１０５と、このバンドパスフィルタ１０５の出力に接続された低雑音増幅器１０６と、この低雑音増幅器１０６の出力が一方の入力に接続されるとともに他方の入力には発振器１０７の出力が接続された混合器１０８と、この混合器１０８の出力が接続された中間周波増幅器１０９と、この中間周波増幅器１０９の出力が一方の入力に接続されるとともに他方の入力には制御部１１０の出力が接続された復調器１１１と、この復調器１１１の出力が接続された出力部１１２とで構成されている。
【００５０】
また、送信部１０４は、入力部１１３の出力が一方の入力に接続されるとともに、他方の入力には制御部１１０の出力が接続された変調器１１４と、この変調器１１４の出力が接続された増幅器１１５と、この増幅器１１５の出力が一方の入力に接続されるとともに他方の入力には発振器１０７の出力が接続された混合器１１６と、この混合器１１６の出力に接続された電力増幅器１１７と、この電力増幅器１１７の出力とアンテナ切り替え器１０２の他方の入力との間に接続されたローパスフィルタ１１８とで構成されている。
【００５１】
以上のように構成された携帯電話機１００において、アンテナ１０１から入力された電波は、混合器１０８で中間周波数に変換され、次に復調器１１１で復調されて出力部１１２のスピーカから音声として出力される。また、この出力部１１２には表示部も設けられており、この携帯電話機１００が使用する電池１１９の残量も表示されるようになっている。
【００５２】
また、入力部１１３のマイクロフォンに入力された音声は、変調器１１４で変調される。そしてこの変調された信号は、混合器１１６で搬送波に変換され、この搬送波は電力増幅器１１７で電力増幅されて、アンテナ１０１から電波として放射される。このとき送信波は大出力が必要であり、そのために、電力増幅器１１７は大電力を必要とする。従って、この携帯電話機１００において、本発明の電池残量表示装置を用いると、例え、大電力を消費する電力増幅器１１７を使用しても、送信する度に電池残量があたかも増加したかのような表示をすることはなく、違和感のない電池の残量表示をすることができる。
【産業上の利用可能性】
【００５３】
本発明にかかる電池残量表示装置は、適切な電池の残量表示が可能であり、切り替えの瞬時においても使用者に違和感を与えることはないので、携帯機器等の電池残量表示装置等として有用である。
【図面の簡単な説明】
【００５４】
【図１】本発明の実施の形態１おける電池残量表示装置のブロック図
【図２】同、閾値と残量表示図
【図３】同、昇圧表示禁止手段のフローチャート
【図４】同、電池の出力電圧と閾値との関係図
【図５】同、実施の形態２における電池残量表示装置を用いた光学測定機の斜視図
【図６】同、原理斜視図
【図７】同、血液凝固時間測定フロー図
【図８】同、実施の形態３における携帯電話機のブロック図
【図９】従来の電池残量表示装置のブロック図
【図１０】同、電池の出力電圧と閾値との関係図
【符号の説明】
【００５５】
２１  電池
２２  スイッチ
２３  ヒータ
２４  入力端子
２５  スイッチ制御部
２６  第１の閾値群
２８  第２の閾値群
３０  表示部
３１  閾値選択回路
３２  電池残量決定部
３４  遅延回路
４０  昇圧表示禁止手段
【図１】
0004696766.tif 000002
【図２】
0004696766.tif 000003
【図３】
0004696766.tif 000004
【図４】
0004696766.tif 000005
【図５】
0004696766.tif 000006
【図６】
0004696766.tif 000007
【図７】
0004696766.tif 000008
【図８】
0004696766.tif 000009
【図９】
0004696766.tif 000010
【図１０】
0004696766.tif 000011